(57)【要約】【課題】風速値とネット下降の協働の制御範囲を超えた強風が生じたときは、風荷重を低減して支柱やネットを保護する。【解決手段】防風ネット１は、支柱２を適宜間隔ずつ離して複数立設し、この支柱２には、支柱上部側固定部と地盤側のアンカー１１にガイドワイヤー１３を掛け渡して固定し、ガイドワイヤー１３に沿ってネット５を昇降すべく昇降用ワイヤー２１の一端側を、ネット５を吊る吊りワイヤー２０に連結し、他端側をウインチ１４に連結し、昇降用ワイヤー２１のネット側には、重り体２３を設け、吊りワイヤー２０をワイヤー接続具Ａを介して昇降用ワイヤー２１に接続し、ネット５を横ワイヤー４０に張り付け、この横ワイヤー４０を吊りワイヤー２０に接続すると共に、ネット接続具Ｂを介してガイドワイヤー２０に支持し、ワイヤー接続具Ａとネット接続具Ｂの少なくとも一方は、所定以上の風速の風力により破壊可能である。【選択図】図１４
2004100350.tif 000002
【特許請求の範囲】
【請求項１】
支柱を適宜間隔ずつ離して複数立設し、この支柱には、支柱上部側固定部と地盤側のアンカーにガイドワイヤーを掛け渡して固定し、
前記ガイドワイヤーに沿ってネットを昇降すべく昇降用ワイヤーの一端側を、ネットを吊る吊りワイヤーに連結し、他端側をウインチに連結し、
前記昇降用ワイヤーのネット側には、重り体を設け、
前記吊りワイヤーをワイヤー接続具を介して前記昇降用ワイヤーに接続し、
前記ネットを横ワイヤーに張り付け、この横ワイヤーを前記吊りワイヤーに接続すると共に、ネット接続具を介して前記ガイドワイヤーに支持し、
前記ワイヤー接続具と前記ネット接続具の少なくとも一方は、所定以上の風速の風力により破壊可能であることを特徴とするネット装置。
【発明の詳細な説明】
【０００１】
【発明の属する技術分野】
この発明は、防塵、防砂、防球等のために地盤に支柱を建て、支柱間にネットを張ったネット装置に関する。
【０００２】
【従来の技術】
このようなネット装置として、例えば登録実用新案第３０５４８１３号があり、このものは支柱の上部と地盤側にガイドワイヤーを設け、このガイドワイヤーにリング体を介してネットを連結し、また、地盤にウインチを固定し、支柱上部の滑車を介して昇降用ワイヤーを設け、昇降用ワイヤーの先端には、重り体を設けている。この重り体とネットの上部を連結して、重り体の重さでネットを下降させていた。
【０００３】
また、例えば、特開平７−１５５４１８号では、ドラム式のウインチを用いて、ネットを昇降し、支柱の上部には風速計を設け、その風速値に応じ、ネットを下降することが開示されている。
【０００４】
【発明が解決しようとする課題】
ところで、登録実用新案第３０５４８１３号では、重り体の重さでネットを下降させるだけであり、大風が吹いた場合の支柱に加わる風荷重の低減方法がない。また、特開平７−１５５４１８号では、風速計の風速値に応じてネットを下降させて風荷重を低減させるようにしているが、突風のような風速値と下降装置との連携を超えたスピードで大きな風が吹いた場合は、ネットの下降が間に合わず支柱やネットの破壊を生じることが懸念される。また、支柱やネットが破壊されると、近くに人がいたり、物があった場合には、二次被害も考慮される等の問題があった。
【０００５】
この発明は、かかる実情に鑑みてなされたもので、風速値とネット下降の協働の制御範囲を超えた強風が生じたときは、風荷重を低減して支柱やネットを保護するネット装置を提供することを目的としている。
【０００６】
【課題を解決するための手段】
前記課題を解決し、かつ目的を達成するために、この発明は、以下のように構成した。
【０００７】
請求項１に記載の発明は、支柱を適宜間隔ずつ離して複数立設し、この支柱には、支柱上部側固定部と地盤側のアンカーにガイドワイヤーを掛け渡して固定し、
前記ガイドワイヤーに沿ってネットを昇降すべく昇降用ワイヤーの一端側を、ネットを吊る吊りワイヤーに連結し、他端側をウインチに連結し、
前記昇降用ワイヤーのネット側には、重り体を設け、
前記吊りワイヤーをワイヤー接続具を介して前記昇降用ワイヤーに接続し、
前記ネットを横ワイヤーに張り付け、この横ワイヤーを前記吊りワイヤーに接続すると共に、ネット接続具を介して前記ガイドワイヤーに支持し、
前記ワイヤー接続具と前記ネット接続具の少なくとも一方は、所定以上の風速の風力により破壊可能であることを特徴とするネット装置である。
【０００８】
この請求項１に記載の発明によれば、風速値とネット下降の協働の制御範囲を超えた強風が生じたときは、その強風によりネットを吊っているワイヤー接続具、またはネットの横ワイヤーを支持するネット接続具の少なくとも一方を破壊させ、風荷重を低減してネットの下降ができ、支柱やネットを保護することが可能である。
【０００９】
【発明の実施の形態】
以下、この発明のネット装置の実施の形態を図面に基づいて詳細に説明するが、この発明は、この実施の形態に限定されない。
【００１０】
図１はネット装置の全体配置図、図２はネット装置の側面図、図３はネット装置の拡大正面図、図４はネット装置の拡大裏面図、図５はネット装置の拡大平面図、図６は支柱の上部の平面図、図７はウインチ部ワイヤー掛け概略図、図８は支柱上部の拡大側面図、図９は支柱下部の拡大側面図、図１０は支柱上部の拡大正面図、図１１は支柱下部の拡大正面図、図１２は支柱の上部ウインチ側の正面図、図１３はウインチを示す図、図１４はネットの接続を示す正面図、図１５はネットの接続を示す平面図、図１６は接続用ボルトを示す図、図１７は他のネット接続具を示す図、図１８は他のネット接続具を示す図、図１９はネット装置の制御ブロック図、図２０は制御盤を示す図、図２１はネット装置の使用状態を示す図、図２２はネット装置の突風を受けた際の横ワイヤーを支持するネット接続具が破壊された状態を示す図、図２３はネット装置の突風を受けた際のネットを吊っているワイヤー接続具が破壊された状態を示す図、図２４はネット装置の突風を受けた際の横ワイヤーを支持するネット接続具とネットを吊っているワイヤー接続具とが破壊された状態を示す図である。
【００１１】
この実施の形態のネット装置１は、支柱２が２本の鋼材３によってトラス状に組立てられ、図１に示すように、適宜間隔ずつ離して複数立設する。
【００１２】
支柱２同士は、図２乃至図５に示すように、上部で水平トラス状の補強材４で連結し、中間部はネット５の張設される向きとは反対側に１本の連結材６を複数段連結し、その中間を複数のターンバックル付き筋交い７を配置し、支柱間側に働く応力に対抗している。
【００１３】
支柱２には、図１０、図１１、図１３及び図１４に示すように、支柱上部固定部１０と地盤側のアンカー１１に複数のリング体１２を挿入したガイドワイヤー１３を掛け渡して固定し、ネット５の張設用支持体としている。
【００１４】
この実施の形態では、偶数位置の支柱２には、図２及び図４に示すように、地盤にウインチ１４と固定滑車１５を固定している。偶数位置の支柱２の上部には、図６（ｂ）及び図１２に示すように、ウインチ側からのワイヤー方向を変更する方向分岐滑車１６が４個設けられ、さらにネット５を吊るす吊下げ滑車１７が２個設けられている。
【００１５】
また、奇数位置の支柱２の上部には、図６（ｃ）に示すように、両側の偶数位置側の各々の方向分岐滑車１６からのワイヤーが掛けられ、ネット５を吊るす吊下げ滑車１７が２個設けられている。
【００１６】
また、図８に示すように、ガイドワイヤー１３に沿ってネット５を昇降すべく昇降用ワイヤー２１の一端側を、ネット５を吊る吊りワイヤー２０に連結し、他端側をウインチ１４に連結し、この昇降用ワイヤー２１は、ネット高さを調節する巻取りワイヤー２１ａと移動滑車２２に接続される移動ワイヤー２１ｂからなる。
【００１７】
巻取りワイヤー２１ａは、図７に示すように、他端を地盤に固定し、中間を移動滑車２２と固定滑車１５を複数回巻き回してウインチ１４に巻き取られ、ネット高さを調節する。
【００１８】
また、移動ワイヤー２１ｂは、図１２に示すように、移動滑車２２に４本接続され、支柱上部の４個の方向分岐滑車１６を介して、図６に示すように、偶数位置の支柱２と奇数位置の支柱２の各々の吊下げ滑車１７，１７を介して、ワイヤーの先端に重り体２３が吊り下げられている。
【００１９】
即ち、ウインチ１４が１台に対し、移動ワイヤー２１ｂは４本係止され、１台のウインチ１４で２枚のネット５を同時に昇降し、吊下げられる。よって、支柱２は、偶数位置のウインチ付き支柱２と、奇数位置のウインチ無し支柱２が交互に配置される。但し、支柱２の数が奇数本等の場合は、１台のウインチで１枚のネット５を昇降してもよい。
【００２０】
また、支柱２の上部には、図１に示すように、少なくとも１個の風速計３０が設置され、風速計３０により風速を検知し、所定以上の風速になると、ウインチ１４を駆動してネット５を下降する。
【００２１】
また、図１２に示すように、偶数位置の支柱２の上部の方向分岐滑車１６には、移動滑車２２の衝突（上昇）を規制するリミットスイッチ３１を設け、巻取りワイヤー２１ａの引出し過ぎを防止する。なお、併せて重り体２３の下降しすぎ（ネット下降最下位置決め）も同時に図れ、巻取りワイヤー２１ａの引出し過ぎによるウインチ１４の巻取り部に残ったワイヤーの弛みをも防止する。
【００２２】
また、図１０に示すように、吊下げ滑車１７側には、重り体２３の衝突（上昇）を規制するリミットスイッチ３２を設け、巻取りワイヤー２１ａの巻き取り過ぎを防止する。このリミットスイッチ３２によりウインチ動作用電源をオフにすることによりウインチ１４の回転を制御して、巻き過ぎを防止する。
【００２３】
ネット５は、図３及び図１４に示すように、小ネット５ａ、大型ネット５ｂ、補助ネット５ｃからなる。小ネット５ａは、樹脂製メッシュ材で支柱２間の長さに対応し、幅は支柱高さを複数に分割した高さの、横長の長方形とし、その幅方向の上下端に、端部をリング状とした横ワイヤー４０を挿入して補強材５ａ１を縫い込み、高さ方向のメッシュ小口面も補強材５ａ２を縫込み、作る。また、小ネット５ａの中間にも横ワイヤーを挿入して、３本の横ワイヤーとして強度を増してもよい。
【００２４】
この小ネット５ａの上下に縫込まれた横ワイヤー４０同士を、平行連結金具４１を用いて上下に連結し、支柱２間に張り渡す大型ネット５ｂを構築する。大型ネット５ｂの小口に飛び出ている全ての小ネット５ａの横ワイヤー４０のリング部４０ａと樹脂製メッシュ材との間に、上部２０ａをリング状としたネット５の吊りワイヤー２０を直交方向に十字状の連結金具４５により連結して、大型ネット５ｂを構築する。
【００２５】
補助ネット５ｃは、小ネット同材料の回りを補強材５ｃ１で縫い、はとめ４６を適宜位置に複数設ける。
【００２６】
次に、ネット５の組立について説明する。
【００２７】
両側の吊りワイヤー２０の下端側を地盤のアンカー１１に固定し、上部側は、重り体２３のワイヤー受け部２３ａにボルト４７にて連結し、このボルト４７がワイヤー接続具Ａを構成する。
【００２８】
両側の横ワイヤー４０の各々のリング部４０ａをガイドワイヤー１３に挿通されているリング体１２にシャックル４９を介して接続する。横ワイヤー４０の大型ネット５ｂと連結金具４５との間に、図１７に示すような眼鏡金具９１（ワイヤーや丸鋼で製作する）を設け、この眼鏡金具９１がネット接続具Ｂを構成する。
【００２９】
この眼鏡金具９１は、横ワイヤー４０の強度より低強度のものとし、且つネット５が所定以上の強風を受けた際破壊可能な強度とする。ボルト４７は、吊りワイヤー２０の強度より低強度のものを使用し、且つネット５が所定以上の強風を受けた際破壊可能な強度とする。このボルト４７が所定以上の風速の風力により破壊可能な強度にする構成は、例えば、ボルト径を小さくしたり、低強度の部材を用いたり、図１６に示すように、ノッチ９０を入れる等の構成がある。
【００３０】
なお、ネット接続具Ｂの強度をワイヤー接続具Ａより弱くして、先行してネット接続具Ｂを破壊するようにしてもよい。
【００３１】
これで、ウインチ付き支柱２の両側に２枚の大型ネット５ｂが接続される。同様に他の大型ネット５ｂの複数を支柱２に接続する。大型ネット５ｂ間の隙間を埋める補助ネット５ｃを大型ネット５ｂの端部に設けられたはとめ５０と、補助ネット５ｃのはとめ４６とを上段側のシヤックル４９のボルト４９ａより強度の低いボルト５１を挿通してナット５２で固定する。
【００３２】
この実施形態のネット装置１の偶数位置に配置されたウインチ１４は、図１９に示すように、制御装置７０により駆動される。制御装置７０には、風速計３０、制御盤７１、風速表示装置７２が接続されている。制御盤７１には、図２０に示すように、全体の操作部７１ａと各ネット装置１に応じた操作部７１ｂとが設けられている。
【００３３】
全体の操作部７１ａには、全てのウインチ用の電源を同時に入れる電源スイッチ７１ａ１、同時に切る電源スイッチ７１ａ２、ウインチ１４を同時に上昇する上昇側スイッチ７１ａ３、同時に下降する下降側スイッチ７１ａ４が設けられている。上昇側スイッチ７１ａ３のオンで、ウインチ１４が同時に駆動してネット５が同時に上昇し、リミットスイッチ３２の指示により上昇を停止する。また、下降側スイッチ７１ａ４のオンで、ウインチ１４が同時に駆動してネット５が同時に下降し、リミットスイッチ３１の指示により下降を停止する。
【００３４】
また、各ネット装置１のウインチ１４に応じた操作部７１ｂにも、同様に電源を入れる電源スイッチ７１ｂ１、切る電源スイッチ７１ｂ２、ウインチ１４を上昇する上昇側スイッチ７１ｂ３、下降する下降側スイッチ７１ｂ４が設けられている。
【００３５】
ウインチ１４を回転して、巻取りワイヤー２１ａを巻き取り、移動ワイヤー２１ｂを移動させ、重り体２３の上昇と共にネット５を上昇させ、吊下げ滑車側のリミットスイッチ３２に重り体２３が作動することにより、図２１に示すように、ウインチ１４の電源が解除されて組立が完了する。
【００３６】
なお、個別ウインチの作動用の電源スイッチをウインチ１４の脇に設置してもよい。これにより、個別の操作が行えるので、制御盤位置での操作が不要となりネット５の組立てが容易になる。
【００３７】
また、制御装置７０は、風速計３０の風速情報に基づき、風速表示装置７２に表示する。また、制御装置７０は、風速計３０からの風速を、記憶部に記憶した風速と比較して、所定の風速（単位時間当たりの平均風速を含む）を感知したら、自動的にウインチ１４を起動し巻取り部を引出して、ネット５を下降させる。また、下降してきたら移動滑車２２の衝突を規制するリミットスイッチ３１が働き、電源をオフにする制御を行なう。
【００３８】
この結果、強風時において支柱２やネット５の破壊を防ぐことができる。また、気象情報により台風の接近等が予測される場合は、手動操作でネット５を下降させることもできる。
【００３９】
また、風速計３０により検知する風速値とネット下降の協働の制御範囲を超えた強風が生じたときは、ネット５の下降が間に合わないためネット５には大きな風荷重を受けることになり、図２２に示すように、ネット接続具Ｂの強度がワイヤー接続具Ａより弱い場合には、ネット接続具Ｂが先行して破壊する。
【００４０】
また、図２３に示すように、ネット接続具Ａの強度がワイヤー接続具Ｂより弱い場合には、ネット接続具Ａが先行して破壊する。また、図２４に示すように、ネット接続具Ａとワイヤー接続具Ｂの強度が同じ程度であると、ネット接続具Ａとワイヤー接続具Ｂが同じように破壊する。
【００４１】
このように、ワイヤー接続具Ａ、ネット接続具Ｂの少なくとも一方を破壊させることで、ネット５が受ける風荷重を低減して支柱２やネット５を保護することが可能である。
【００４２】
なお、横ワイヤー４０に眼鏡金具９１を設けないで、リング部４０ａをガイドワイヤー１３に挿通されているリング体１２に接続するシャックル４９を低強度のものとし、且つネット５が所定以上の強風を受けた際破壊可能な強度とし、ネット接続具Ｂとしてもよい。なお、最下段の小ネット５ａの横ワイヤー４０に用いられるシャックル４９のボルト４９ａは、ネット５が飛ばないように高強度のものを用いる。この場合は上段側のシヤックル４９のボルト４９ａが破壊され、さらにその強風により上部側のワイヤー受け部２３ａのボルト４７が破壊される。
【００４３】
また、支柱２からのネット５の切断を、ボルト４７や上段側のシャックル４９のボルト４９ａに替えて、図１７に示すように、ボルト４７及び上段側のボルト４９ａの強度と同様な眼鏡金具９１（ワイヤーや丸鋼で製作する）とし、ボルトにて締結してもよい。
【００４４】
また、ネット５をガイドワイヤー１３に接続するのに、図１８に示すように、リング体１２に替えて横ワイヤー４０をシャックル４９で直に接続してもよい。
【００４５】
このように、所定の風速を計測した場合は、ウインチ１４の作動によりネット５を下降させられるので、支柱２やネット５の破壊を防ぎ近隣に対して安全である。しかし、その降下の途中等で、大きな突風が吹いた場合でも、横ワイヤー４０をリング体１２に接続している眼鏡金具９１、または吊りワイヤー２０を上部で接続している重り体２３のワイヤー受け部２３ａのボルト４７、あるいは上段側のシャックル４９のボルト４９ａ及び吊りワイヤー２０を上部で接続している重り体２３のワイヤー受け部２３ａのボルト４７を破断させることで、大型ネット５ａがぱたぱた旗めくことで、大型ネット５ａに大きな荷重を加えないようにすることで、その破壊を防ぎ安全である。
【００４６】
また、ワイヤー接続具Ａ、ネット接続具Ｂの破断部材（例えばボルト）または補助ネットの取り替えだけで、簡単に元に復帰させられる。また、取り替え部材が小物だけなので経済的である。また、ネット５の上部の吊りワイヤー２０と重り体２３とを接続するボルト４７が破壊しても、移動ワイヤー２１ｂは、重り体２３の自重により吊下げ滑車１７から外れないため、安全であり、ウインチ１４のネット下降指示により、重り体２３が手元まで下降してくるので復旧作業が容易に行なえる。
【００４７】
また、ガイドワイヤー１３を支柱上部で支柱２から離し、また地盤側を上部より大きく離してガイドワイヤー１３を傾けて取付けたこと、また支柱２間を連結する連結材６や筋交い７をネット５と反対側に設けたので、ネット５が風力により膨らんだ場合、更にはリング体１２からの力によりガイドワイヤー１３に撓みが生じた場合でも、ネット５は、支柱２間を連結する連結材６や筋交い７に触れることはないので、擦れに伴うネット５の破れは生じない。
【００４８】
また、リミットスイッチ３１，３２を設けたので、ネット５の移動範囲を制御できるので、高さのあるネット５でも、目視による判断のできない大きさも可能である。さらに、１台のウインチ１４で４本の移動ワイヤー２１ｂ（２枚の大型ネット５ａ）を同時に操作できるようにしたので、動力部分を半分にすることができる。
【００４９】
【発明の効果】
前記したように、請求項１に記載の発明では、ワイヤー接続具とネット接続具の少なくとも一方は、所定以上の風速の風力により破壊可能であるから、風速値とネット下降の協働の制御範囲を超えた強風が生じたときは、その強風によりワイヤー接続具、ネット接続具の少なくとも一方を破壊させ、風荷重を低減して支柱やネットを保護することが可能である。
【図面の簡単な説明】
【図１】ネット装置の全体配置図である。
【図２】ネット装置の側面図である。
【図３】ネット装置の拡大正面図である。
【図４】ネット装置の拡大裏面図である。
【図５】（ａ）はネット装置の上部の拡大平面図、（ｂ）はネット装置の下部の拡大平面図である。
【図６】（ａ）は奇数及び偶数の支柱の上部の平面図、（ｂ）は偶数の支柱の上部の平面図、（ｃ）は奇数の支柱の上部の平面図である。
【図７】ウインチ部ワイヤー掛け概略図である。
【図８】支柱上部の拡大側面図である。
【図９】支柱下部の拡大側面図である。
【図１０】支柱上部の拡大正面図である。
【図１１】支柱下部の拡大正面図である。
【図１２】支柱の上部ウインチ側の正面図である。
【図１３】（ａ）はウインチの側面図、（ｂ）はウインチと巻取りワイヤーを示す図である。
【図１４】ネットの接続を示す正面図である。
【図１５】ネットの接続を示す平面図である。
【図１６】接続用ボルトを示す図である。
【図１７】（ａ）は他のネット接続具の平面図、（ｂ）は他のネット接続具の破断した状態の平面図を示す図である。
【図１８】他のネット接続具を示す図である。
【図１９】ネット装置の制御ブロック図である。
【図２０】制御盤を示す図である。
【図２１】ネット装置の使用状態を示す図である。
【図２２】ネット装置の突風を受けた際の横ワイヤーを支持するネット接続具が破壊された状態を示す図である。
【図２３】ネット装置の突風を受けた際のネットを吊っているワイヤー接続具が破壊された状態を示す図である。
【図２４】ネット装置の突風を受けた際の横ワイヤーを支持するネット接続具とネットを吊っているワイヤー接続具とが破壊された状態を示す図である。
【符号の説明】
１　ネット装置
２　支柱
５　ネット
１１　アンカー
１３　ガイドワイヤー
１４　ウインチ
２０　吊りワイヤー
２１　昇降用ワイヤー
２３　重り体
４０　横ワイヤー
９１　眼鏡金具
Ａ　ワイヤー接続具
Ｂ　ネット接続具
【図１】
2004100350.tif 000003
【図２】
2004100350.tif 000004
【図３】
2004100350.tif 000005
【図４】
2004100350.tif 000006
【図５】
2004100350.tif 000007
【図６】
2004100350.tif 000008
【図７】
2004100350.tif 000009
【図８】
2004100350.tif 000010
【図９】
2004100350.tif 000011
【図１０】
2004100350.tif 000012
【図１１】
2004100350.tif 000013
【図１２】
2004100350.tif 000014
【図１３】
2004100350.tif 000015
【図１４】
2004100350.tif 000016
【図１５】
2004100350.tif 000017
【図１６】
2004100350.tif 000018
【図１７】
2004100350.tif 000019
【図１８】
2004100350.tif 000020
【図１９】
2004100350.tif 000021
【図２０】
2004100350.tif 000022
【図２１】
2004100350.tif 000023
【図２２】
2004100350.tif 000024
【図２３】
2004100350.tif 000025
【図２４】
2004100350.tif 000026